(57)【要約】【課題】  本発明は、従来よりも一段と容易に文章を作成させ得る文章作成装置を実現しようとするものである。【解決手段】  制御部２０は、表示部２５に表示している複数の置換候補文の中から、例えばユーザによって置換候補文「先に飲んどいて。」が選択されたことを認識すると、遅刻用雛形文章中の短文「先に行って下さい」を、当該選択された置換候補文「先に飲んどいて。」に置き換える。これによりユーザは、１字ずつ文字を入力するような文字入力操作を行うことなく、宴会等に遅刻する旨の文章を作成することができる。【選択図】        図８
2005044271.tif 000002
【特許請求の範囲】
【請求項１】
複数の短文に区切られた雛形文章と、各上記短文に対する複数の置換候補文とを記憶しておく記憶手段と、
上記記憶手段から上記雛形文章を読み出して所定の表示部に表示する雛形文章表示手段と、
上記表示部に表示している上記雛形文章中の上記複数の短文のうち、ユーザの指定操作によって指定された指定短文に対応する複数の上記置換候補文を、上記記憶手段から読み出して上記表示部に表示する候補文表示手段と、
上記表示部に表示している上記複数の置換候補文のうち、ユーザの選択操作によって選択された上記置換候補文を、上記雛形文章中の上記指定短文と置き換える置換手段と
を具えることを特徴とする文章作成装置。
【請求項２】
上記選択操作によってこれまで選択された上記置換候補文に基づき、各上記置換候補文の選択頻度を認識する認識手段
を具え、
上記候補文表示手段は、
上記指定短文に対応する複数の上記置換候補文のうち、上記選択頻度の高い上記置換候補文を優先的に上記表示部に表示する
ことを特徴とする請求項１に記載の文章作成装置。
【請求項３】
複数の短文に区切られた雛形文章と各上記短文に対する複数の置換候補文とが記憶された所定の記憶手段から、上記雛形文章を読み出して所定の表示部に表示する雛形文章表示ステップと、
上記表示部に表示している上記雛形文章中の上記複数の短文のうち、ユーザの指定操作によって指定された指定短文に対応する複数の上記置換候補文を、上記記憶手段から読み出して上記表示部に表示する候補文表示ステップと、
上記表示部に表示している上記複数の置換候補文のうち、ユーザの選択操作によって選択された上記置換候補文を、上記雛形文章中の上記指定短文と置き換える置換ステップと
を具えることを特徴とする文章作成方法。
【請求項４】
コンピュータに対し、
複数の短文に区切られた雛形文章と各上記短文に対する複数の置換候補文とが記憶された所定の記憶手段から、上記雛形文章を読み出して所定の表示部に表示する雛形文章表示ステップと、
上記表示部に表示している上記雛形文章中の上記複数の短文のうち、ユーザの指定操作によって指定された指定短文に対応する複数の上記置換候補文を、上記記憶手段から読み出して上記表示部に表示する候補文表示ステップと、
上記表示部に表示している上記複数の置換候補文のうち、ユーザの選択操作によって選択された上記置換候補文を、上記雛形文章中の上記指定短文と置き換える置換ステップと
を実行させるための文章作成プログラム。
【発明の詳細な説明】
【技術分野】
【０００１】
本発明は文章作成装置に関し、例えば、電子メール機能を有する携帯電話機に適用して好適なものである。
【背景技術】
【０００２】
従来、電子メール機能を有している携帯電話機においては、図４０に示すようなテンキー部の各数字キーをユーザに押下させて、１字ずつ文字を入力させることにより、電子メール中の文章を作成させるようになされている。
【０００３】
実際上、このようなテンキー部の各数字キーに対しては、複数個の平仮名が割り当てられている。従ってユーザは、平仮名「お」を入力するとき、「１」の数字キーを５回押下しなければならず、この結果、文章の作成作業が非常に煩雑になってしまうという問題があった。
【０００４】
この問題を解決する一手法として、次のような携帯電話機が提案されている。すなわちこの携帯電話機においては、ユーザがテンキー部を操作して何らかの文字（例えば、平仮名「せ」）を入力すると、この平仮名「せ」から始まる複数の単語（例えば、「仙台」、「千」、「セーブ」等）を表示部に表示し、そしてこれら複数の単語からユーザ所望の単語を選択させる。この結果この携帯電話機によれば、従来よりも文字入力操作の回数を低減させることができる（例えば特許文献１）。
【特許文献１】特開２００２−１０１１７８公報（第６頁、図４）
【発明の開示】
【発明が解決しようとする課題】
【０００５】
しかしながら、かかる手法を採用した携帯電話機においても、ユーザに単語を入力させる際には、その単語の先頭文字を入力させなければならないので、例えば多数の単語からなる長文を入力させる場合には、これに応じた回数の文字入力操作を強いることになってしまう。この結果このような携帯電話機でも、未だ容易に文章を作成させることができるとは言い難い問題があった。
【０００６】
本発明は以上の点を考慮してなされたもので、従来よりも一段と容易に文章を作成させ得る文章作成装置を提案しようとするものである。
【課題を解決するための手段】
【０００７】
かかる課題を解決するために本発明においては、文章作成装置として、複数の短文に区切られた雛形文章と各短文に対する複数の置換候補文とを記憶しておく記憶手段と、記憶手段から雛形文章を読み出して所定の表示部に表示する雛形文章表示手段と、表示部に表示している雛形文章中の複数の短文のうち、ユーザの指定操作によって指定された指定短文に対応する複数の置換候補文を、記憶手段から読み出して表示部に表示する候補文表示手段と、表示部に表示している複数の置換候補文のうち、ユーザの選択操作によって選択された置換候補文を、雛形文章中の指定短文と置き換える置換手段とを設けるようにした。
【０００８】
このようにこの文章作成装置では、雛形文章中の各短文を予め用意されている置換候補文に適宜置換させることによって文章を作成させるようにした。これによりユーザは、文字入力操作を行うことなく文章を作成することができる。
【０００９】
また本発明においては、文章作成方法として、複数の短文に区切られた雛形文章と各短文に対する複数の置換候補文とが記憶された所定の記憶手段から、雛形文章を読み出して所定の表示部に表示する雛形文章表示ステップと、表示部に表示している雛形文章中の複数の短文のうち、ユーザの指定操作によって指定された指定短文に対応する複数の置換候補文を、記憶手段から読み出して表示部に表示する候補文表示ステップと、表示部に表示している複数の置換候補文のうち、ユーザの選択操作によって選択された置換候補文を、雛形文章中の指定短文と置き換える置換ステップとを設けるようにした。
【００１０】
このようにこの文章作成方法では、雛形文章中の各短文を予め用意されている置換候補文に適宜置換させることによって文章を作成させるようにした。これによりユーザは、文字入力操作を行うことなく文章を作成することができる。
【００１１】
また本発明においては、コンピュータに実行させる文章作成プログラムとして、複数の短文に区切られた雛形文章と各短文に対する複数の置換候補文とが記憶された所定の記憶手段から、雛形文章を読み出して所定の表示部に表示する雛形文章表示ステップと、表示部に表示している雛形文章中の複数の短文のうち、ユーザの指定操作によって指定された指定短文に対応する複数の置換候補文を、記憶手段から読み出して表示部に表示する候補文表示ステップと、表示部に表示している複数の置換候補文のうち、ユーザの選択操作によって選択された置換候補文を、雛形文章中の指定短文と置き換える置換ステップとを設けるようにした。
【００１２】
このようにこの文章作成プログラムでは、雛形文章中の各短文を予め用意されている置換候補文に適宜置換させることによって文章を作成させるようにした。これによりユーザは、文字入力操作を行うことなく文章を作成することができる。
【発明の効果】
【００１３】
上述のように本発明によれば、文章作成装置において、複数の短文に区切られた雛形文章と各短文に対する複数の置換候補文とを記憶しておく記憶手段と、記憶手段から雛形文章を読み出して所定の表示部に表示する雛形文章表示手段と、表示部に表示している雛形文章中の複数の短文のうち、ユーザの指定操作によって指定された指定短文に対応する複数の置換候補文を、記憶手段から読み出して表示部に表示する候補文表示手段と、表示部に表示している複数の置換候補文のうち、ユーザの選択操作によって選択された置換候補文を、雛形文章中の指定短文と置き換える置換手段とを設けるようにしたので、雛形文章中の各短文を予め用意されている置換候補文に適宜置換させることによって文章を作成させることができ、かくしてユーザは文字入力操作を行うことなく文章を作成することができる。この結果、従来よりも一段と容易に文章を作成させることができる文章作成装置を実現することができる。
【００１４】
また本発明によれば、文章作成方法において、複数の短文に区切られた雛形文章と各短文に対する複数の置換候補文とが記憶された所定の記憶手段から、雛形文章を読み出して所定の表示部に表示する雛形文章表示ステップと、表示部に表示している雛形文章中の複数の短文のうち、ユーザの指定操作によって指定された指定短文に対応する複数の置換候補文を、記憶手段から読み出して表示部に表示する候補文表示ステップと、表示部に表示している複数の置換候補文のうち、ユーザの選択操作によって選択された置換候補文を、雛形文章中の指定短文と置き換える置換ステップとを設けるようにしたので、雛形文章中の各短文を予め用意されている置換候補文に適宜置換させることによって文章を作成させることができ、かくしてユーザは文字入力操作を行うことなく文章を作成することができる。この結果、従来よりも一段と容易に文章を作成させることができる文章作成方法を実現することができる。
【００１５】
さらに本発明によれば、コンピュータに実行させる文章作成プログラムにおいて、複数の短文に区切られた雛形文章と各短文に対する複数の置換候補文とが記憶された所定の記憶手段から、雛形文章を読み出して所定の表示部に表示する雛形文章表示ステップと、表示部に表示している雛形文章中の複数の短文のうち、ユーザの指定操作によって指定された指定短文に対応する複数の置換候補文を、記憶手段から読み出して表示部に表示する候補文表示ステップと、表示部に表示している複数の置換候補文のうち、ユーザの選択操作によって選択された置換候補文を、雛形文章中の指定短文と置き換える置換ステップとを設けるようにしたので、雛形文章中の各短文を予め用意されている置換候補文に適宜置換させることによって文章を作成させることができ、かくしてユーザは文字入力操作を行うことなく文章を作成することができる。この結果、従来よりも一段と容易に文章を作成させることができる文章作成プログラムを実現することができる。
【発明を実施するための最良の形態】
【００１６】
以下図面について、本願発明の一実施の形態について説明する。
【００１７】
（１）携帯電話機の構成
図１において、１は全体として携帯電話機を示し、上側筐体２と下側筐体３とがヒンジ部４を介して折り畳み可能に構成されている。
【００１８】
上側筐体２において、その背面の上端右側には、送受信用のアンテナ５が引出及び収容可能な状態で取り付けられており、正面上端部には、スピーカ６が設けられており、正面中央部には、液晶ディスプレイ等でなる表示部２５が設けられている。
【００１９】
下側筐体３において、その表面中央部には、「０」〜「９」、「＃」及び「＊」キー等からなるテンキー８が設けられており、表面下端部には、ユーザの音声等を集音するためのマイクロフォン９が設けられている。
【００２０】
また、下側筐体３において、その表面上端部には、上下方向に回転操作が可能且つ押圧操作が可能なジョグダイヤル１０が設けられており、当該ジョグダイヤル１０の両側には、左方向を指定するための左方向キー１１及び右方向を指定するための右方向キー１２が設けられている。
【００２１】
次に、携帯電話機１の回路構成について図２を用いて説明する。携帯電話機１は、当該携帯電話機１全体を統括的に制御する制御部２０に対して、基本プログラム等の各種プログラムを格納しているメモリ２１、アンテナ５を介して無線通信を行うための無線通信部２２、パーソナルコンピュータ（図示せず）等と接続するための外部インターフェース部２３、テンキー８やジョグダイヤル１０や左方向キー１１や右方向キー１２等からなる操作入力部２４、表示部２５、コーデック部２６、及び電子メール作成処理部２７が接続されて構成されている。
【００２２】
制御部２０は、メモリ２１に格納されている基本プログラム等の各種プログラムに従って、携帯電話機１内の各回路部を制御することにより、電子メール送受信処理や通話処理等を実行するようになされている。
【００２３】
例えば制御部２０は、基本プログラムに従って通話処理を実行することにより、マイクロフォン９からの音声信号をコーデック部２６及び無線通信部２２を順次介してアンテナ５から送出する一方、アンテナ５を介して受信した通話相手からの音声信号を無線通信部２２及びコーデック部２６を順次介してスピーカ６から出力する。
【００２４】
一方電子メール作成処理部２７は、制御部２０からの命令に応じて、ユーザに電子メールを作成させるための電子メール作成処理等を実行する。そしてこの電子メール作成処理部２７に接続されている電子メールデータ記憶部２８には、複数種類の雛形文章（後述する）が記されてなる雛形文章データや、複数種類の置換候補文（後述する）が記されてなる置換候補文データが格納されている。
【００２５】
（２）電子メール作成処理
例えば制御部２０は、ユーザにより操作入力部２４を介して所定操作が行われたことを認識すると、図３に示すような電子メールメニュー画面３０を表示部２５に表示する。
【００２６】
そして制御部２０は、ユーザによって操作入力部２４を介して電子メールメニュー画面３０中のカーソルＣＲ１が操作されることにより、メニュー「新規作成」が選択されたことを認識すると、電子メール作成処理部２７を制御して、電子メール作成処理を実行開始する。
【００２７】
ここでは、この電子メール作成処理の手順について、図４に示すフローチャートを用いて説明する。
【００２８】
すなわちステップＳＰ１において制御部２０は、図５に示すような新規作成メニュー画面３５を表示部２５に表示し、ステップＳＰ２へ移る。
【００２９】
ステップＳＰ２において制御部２０は、ユーザによってカーソルＣＲ１が操作されることにより、新規作成メニュー画面３５中のメニュー「簡易作成機能」が選択されたか否かを判定する。
【００３０】
このステップＳＰ２において否定結果が得られると、例えばこのことは、新規作成メニュー画面３５中のメニュー「通常作成機能」が選択されたことを意味しており、制御部２０は、ステップＳＰ３へ移って通常作成処理を実行する。
【００３１】
この通常作成処理では、ユーザにテンキー８の各数字キーを押下操作させて、１文字ずつ文字入力させることにより、メールアドレスや電子メールの文章を作成させる。そして制御部２０は、ユーザによって当該通常作成処理を終了する操作が行われたことを認識すると、この通常作成処理によって作成された電子メールを送信した後、ステップＳＰ１３へ移って電子メール作成処理手順ＲＴ１を終了する。
【００３２】
これに対しステップＳＰ２において肯定結果が得られると、このことは、簡易作成機能を利用して電子メールを作成する意思がユーザにあることを意味しており、制御部２０は、ステップＳＰ４へ移って簡易作成処理を実行開始する。
【００３３】
実際上このステップＳＰ４において制御部２０は、ユーザに文字入力操作させることによってメールアドレスを入力させ、この入力が終了したときステップＳＰ５へ移る。
【００３４】
ステップＳＰ５において制御部２０は、図６に示すような雛形文章選択画面４０を表示部２５に表示し、ステップＳＰ６へ移る。
【００３５】
ここでこの雛形文章選択画面４０には、複数種類の雛形文章の名称（本実施の形態の場合、「遅刻」、「待ち合わせ」、「お礼」等）が一覧表示されており、これら雛形文章の名称は、カーソルＣＲ１によって選択され得るようになされている。
【００３６】
ステップＳＰ６において制御部２０は、ユーザによってカーソルＣＲ１が操作されることにより、例えば雛形文章の名称「遅刻」が選択されたことを認識すると、電子メール作成処理部２７を制御して、当該「遅刻」に応じた雛形文章データを電子メールデータ記憶部２８から読み出した後、これに基づいて電子メールの文章を簡易に作成させるための簡易作成画面４５（図７）を表示部２５に表示し、ステップＳＰ７へ移る。
【００３７】
ここで簡易作成画面４５には、遅刻する旨を伝えるための雛形文章が表示されている。因みに本実施の形態の場合、この遅刻用の雛形文章は、「こんばんは、伊藤です。すみません。１０分程度遅れます。先に行って下さい。」となっている。
【００３８】
そしてこの遅刻用の雛形文章は、複数のブロックＢＫ１〜ＢＫ６によって、複数の短文に予め区切られている（この場合、「こんばんは、」と「伊藤です。」と「すみません。」と「１０」と「分程度おくれます。」と「先に行ってください。」とに区切られている）。これらブロックＢＫ１〜ＢＫ６のそれぞれは、簡易作成画面４５中のカーソルＣＲ２によって選択され得るようになされている。
【００３９】
ステップＳＰ７において制御部２０は、ユーザによって簡易作成画面４５中のカーソルＣＲ２が操作されることにより、ブロックＢＫ１〜ＢＫ６の何れかが選択されたか否かを判定する。
【００４０】
このステップＳＰ７において否定結果が得られると、このことは、ブロックＢＫ１〜ＢＫ６の何れも未だ選択されていないことを意味しており、このとき制御部２０は後述のステップＳＰ１０へ移る。
【００４１】
これに対しステップＳＰ７において肯定結果が得られると、このことは、ブロックＢＫ１〜ＢＫ６の何れかが選択された、例えばブロックＢＫ６が選択されたことを意味しており、このとき制御部２０はサブルーチンＳＲＴ１へ移る。
【００４２】
このサブルーチンＳＲＴ１において制御部２０は、後に詳述する文選択ボックス表示処理を実行することにより、例えば図８に示すように、簡易作成画面４５のブロックＢＫ６上に文選択ボックス４６を表示し、ステップＳＰ８へ移る。
【００４３】
この文選択ボックス４６中には、ブロックＢＫ６中に表示されていた短文「先に行って下さい。」が表示されていると共に、当該短文「先に行って下さい。」と置き換えることが可能な短文（以下適宜、これを置換候補文と呼ぶ）が複数表示されている。本実施の形態の場合には、かかる短文「先に行って下さい。」の置換候補文として、「先に飲んどいて。」と「待っていてくれぇー。」と「待っていていただけますか？」とが表示されている。
【００４４】
また本実施の形態において制御部２０は、上下方向にジョグダイヤル１０が回転操作されると、これに連動して文選択ボックス４６中のカーソルＣＲ３を上下方向に移動させて、短文「先に行って下さい。」や複数の置換候補文のうちの何れか１文を選択させ得るようになされており、そしてジョグダイヤル１０が押下操作されたとき、カーソルＣＲ３によって選択中の１文を選択決定するようになされている。これによりユーザは、文選択ボックス４６に表示されている短文「先に行って下さい。」や複数の置換候補文の中から、ユーザ任意の１文を容易且つ直感的に選択決定することができる。
【００４５】
ステップＳＰ８において制御部２０は、ユーザによってジョグダイヤル１０が回転及び押下される操作が行われることにより、例えば文選択ボックス４６中の「先に飲んどいて。」が選択決定されたことを認識すると、図９に示すように、ブロックＢＫ６中にこれまで表示していた短文「先に行って下さい。」を、置換候補文「先に飲んどいて。」に置き換えて表示し、ステップＳＰ９へ移る。
【００４６】
このようにしてユーザは、遅刻用雛形文章中の短文「先に行って下さい。」を、予め用意されている置換候補文「先に飲んどいて。」に置き換える操作を行うだけで、例えば宴会等に遅刻する旨の文章を作成することができる。
【００４７】
ステップＳＰ９において制御部２０は、例えば図１０に示すように、メモリ２１に記憶されている選択履歴データＤＴ１中の第６履歴欄ＣＬ６に対し、ステップＳＰ８において今回選択決定された置換候補文「先に飲んどいて。」を追記し、ステップＳＰ１０へ移る。
【００４８】
ここで選択履歴データＤＴ１の第６履歴欄ＣＬ６に対しては、ブロックＢＫ６中の短文と置換すべくユーザによってこれまで選択された置換候補文が、選択された順番で記されるようになされている。因みに、他の履歴欄（例えば、第５履歴欄ＣＬ５）に対しても、対応するブロック（この場合、ブロックＢＫ５）中の短文と置換すべくユーザによってこれまで選択された置換候補文が、選択された順番で記されるようになされている。
【００４９】
ステップＳＰ１０において制御部２０は、ユーザの所定操作により簡易作成画面４５（図９）中の決定ボタン４７が選択されたか否かを判定する。
【００５０】
このステップＳＰ１０において否定結果が得られると、例えばこのことは、簡易作成処理が継続されることを意味しており、このとき制御部２０は上述のステップＳＰ７へ戻る。これに対しステップＳＰ１０において肯定結果が得られると、例えばこのことは、電子メールの文章が、「こんばんは、伊藤です。すみません。１０分程度遅れます。先に飲んどいて。」で決定されたことを意味しており、ステップＳＰ１１へ移る。
【００５１】
ステップＳＰ１１において制御部２０は、ステップＳＰ４で入力されたメールアドレスに基づいて、ステップＳＰ１０で決定された電子メールの文章を送信し、ステップＳＰ１２へ移る。
【００５２】
ステップＳＰ１２において制御部２０は、ステップＳＰ１０で決定された文章「こんばんは、伊藤です。すみません。１０分程度遅れます。先に飲んどいて。」を、遅刻用雛形文章として新たに登録し直す処理を実行する。同時に制御部２０は、ステップＳＰ８で置き換えられてしまった短文「先に行って下さい。」を、新たな遅刻用雛形文章中の短文「先に飲んどいて。」に対する置換候補文として登録する処理も実行する。
【００５３】
この結果、ユーザによってこの簡易作成機能が再び利用されると、簡易作成画面４５には、ユーザによって今回作成された文章が、遅刻用雛形文章として表示される。
【００５４】
この後制御部２０は、ステップＳＰ１３へ移って電子メール作成処理手順ＲＴ１を終了する。
【００５５】
次に、ステップＳＰ７で肯定結果が得られたときに実行する文選択ボックス表示処理手順ＳＲＴ１について説明する。
【００５６】
すなわち制御部２０は、例えばステップＳＰ７で簡易作成画面４５（図７）中のブロックＢＫ６が選択決定されて肯定結果が得られたとき、図１１に示す文選択ボックス表示処理手順ＳＲＴ１の開始ステップから入ってステップＳＰ１０１に移る。
【００５７】
そしてステップＳＰ１０１において制御部２０は、図１２に示す選択履歴データＤＴ１の第６履歴欄ＣＬ６を参照し、ユーザによって前回選択決定された置換候補文「先に行って下さい。」から、１０回前に選択決定された置換候補文「待っていてくれぇー。」までの間の各置換候補文に対して、ポイントを順次付与する処理（以下、これをポイント付与処理と呼ぶ）を実行し、ステップＳＰ１０２へ移る。
【００５８】
ここでこのポイント付与処理では、ユーザによって前回選択決定された置換候補文「先に行って下さい。」に対して“１０”ポイントを付与する。そして、これよりも過去に選択決定された置換候補文になるにつれて、“１”ずつ減算したポイントを順次付与するようになされている。これにより、最近に選択決定された置換候補文ほど、高いポイントが付与されるようになされている。
【００５９】
ステップＳＰ１０２において制御部２０は、例えば図１３に示すように、ステップＳＰ１０１で付与したポイントを置換候補文ごとに集計した後、置換候補文ごとに合計ポイントを算出し、ステップＳＰ１０３へ移る。
【００６０】
ステップＳＰ１０３において制御部２０は、ステップＳＰ１０２で算出した各置換候補文の合計ポイントに基づき、各置換候補文に対して優先度を割り当てる処理（以下、これを優先度割当処理と呼ぶ）を実行し、ステップＳＰ１０４へ移る。
【００６１】
ここでこの優先度割当処理においては、まず最初に、ユーザによって前回選択決定された置換候補文「先に行ってください。」に対して、最も高い優先度“１”を割り当てる。次に、この置換候補文「先に行ってください。」を除く他の置換候補文の中で、合計ポイントが最大の置換候補文「先に飲んどいて。」に対し、優先度“２”を割り当てる。そして、合計ポイントが小さい置換候補文になるにつれて、順次低い優先度を割り当てるようになされている。
【００６２】
このようにして制御部２０は、ユーザによって最近選択決定された置換候補文ほど、かつ頻繁に選択決定される置換候補文ほど、今回も選択決定される可能性が高いと判断し、より高い優先度を割り当てるようになされている。ただし本実施の形態の場合、制御部２０は、ユーザによって前回選択決定された置換候補文「先に行ってください。」が、今回最も選択決定される可能性が高いと判断し、例外的に優先度“１”を割り当てるようになされている。
【００６３】
ステップＳＰ１０４において制御部２０は、図８に示すように、ステップＳＰ１０３で割り当てた優先度に基づいて、簡易作成画面４５上に文選択ボックス４６を表示し、ステップＳＰ１０５へ移って文選択ボックス表示処理手順ＳＲＴ１を終了する。
【００６４】
このとき制御部２０は、文選択ボックス４６の最上部にカーソルＣＲ３を初期表示するようにすると共に、優先度の高い置換候補文ほど文選択ボックス４６の上側に表示する。このように、ユーザによって今回選択決定される可能性が高い置換候補文ほど、ユーザが選択し易くなるように、カーソルＣＲ３に近接して表示するようになされている。
【００６５】
（３）雛形文章登録処理
ところで制御部２０は、ユーザにより操作入力部２４を介して、図３に示す電子メールメニュー画面３０中のメニュー「メール設定」が選択されたことを認識すると、図１４に示すようなメール設定メニュー画面５０を表示部２５に表示する。
【００６６】
そして制御部２０は、ユーザによってメール設定メニュー画面５０中のカーソルＣＲ１が操作されることにより、メニュー「雛形文章の新規登録」が選択されたことを認識すると、ユーザ任意の雛形文章を新たに登録するための雛形文章登録処理を実行する。
【００６７】
ここでは、この雛形文章登録処理の手順について、図１５に示すフローチャートを用いて説明する。
【００６８】
ステップＳＰ２０において制御部２０は、図１６に示すような文章入力画面５５を表示部２５に表示した後、ユーザに文字入力させることによって、ユーザ任意の文章（以下、これを任意文章と呼ぶ）を入力させる。この後、ユーザにより文章入力画面５５中の入力終了ボタン５６が選択されると、制御部２０はステップＳＰ２１へ移る。
【００６９】
因みに本実施の形態の場合、この文章入力画面５０には、ユーザによって今回入力された任意文章として、「このたびは、本当にごめんなさい。このようなことは致しません。」が表示されている。
【００７０】
ステップＳＰ２１において制御部２０は、かかる任意文章に基づいて、図１７に示すようなブロック設定画面６０を表示し、ステップＳＰ２２へ移る。
【００７１】
ここでこのブロック設定画面６０には、ブロックを設定する部分の先頭文字と終端文字とをユーザに指定させるための文字指定カーソルＣＲ４が表示されている。
【００７２】
ステップＳＰ２２において制御部２０は、ブロック設定画面６０中の文字指定カーソルＣＲ４が操作されることにより、かかる先頭文字及び終端文字として、例えば「このたびは、……」の「こ」及び「、」が指定されたことを認識すると、図１８に示すように、新たなブロックＢＫ１０を、任意文章中の「このたびは、」に対して設定し、ステップＳＰ２３へ移る。
【００７３】
ステップＳＰ２３において制御部２０は、この任意文章全体にブロックが設定されたか否かを判定し、ここで否定結果が得られると、上述のステップＳＰ２１へ戻るようになされている。
【００７４】
このようにして制御部２０は、ステップＳＰ２１〜ステップＳＰ２３を繰り返し実行することにより、ユーザに対して任意文章全体に複数のブロックを設定させる。そしてこの結果、例えば図１９に示すように、任意文章全体にブロックＢＫ１０〜ＢＫ１２が設定されて、当該任意文章が複数の短文に区切られたとき、制御部２０は、ステップＳＰ２３で肯定結果を得てステップＳＰ２４へ移る。
【００７５】
ステップＳＰ２４において制御部２０は、この任意文章を新たな雛形文章として登録するに際し、所定の入力画面（図示せず）を表示部２５に表示して、当該任意文章の名称をユーザに入力させる。そして制御部２０は、例えばユーザにより操作入力部２４を介して「お詫び」が入力されたことを認識すると、この「お詫び」という名称で当該任意文章を新たな雛形文章として登録する処理を行い、ステップＳＰ２５へ移って雛形文章登録処理手順ＲＴ２を終了する。
【００７６】
このようにしてこの携帯電話機１においては、ユーザ独自の雛形文章（この場合、お詫び用の雛形文章）を追加登録させ得るようになされている。
【００７７】
（４）置換候補文編集処理
一方、制御部２０は、ユーザにより操作入力部２４を介して、図１４に示すメール設定メニュー画面５０中のメニュー「既存の雛形文章の編集」が選択決定されたことを認識すると、図２０に示すような雛形文章編集メニュー画面６５を表示部２５に表示する。
【００７８】
そして制御部２０は、ユーザによって雛形文章編集メニュー画面６５中のカーソルＣＲ１が操作されることにより、メニュー「置換候補文の編集」が選択されたことを認識すると、置換候補文編集処理を実行するようになされている。
【００７９】
ここでは、この置換候補文編集処理の手順について、図２１に示すフローチャートを用いて説明する。
【００８０】
ステップＳＰ３０において制御部２０は、例えば図２２に示すような雛形文章選択画面７０を表示部２５に表示する。この雛形文章選択画面７０には、既に登録されている雛形文章の名称が一覧表示されている。そして制御部２０は、ユーザによってカーソルＣＲ１が操作されることにより、例えば雛形文章の名称「遅刻」が選択決定されると、ステップＳＰ３１へ移る。
【００８１】
ステップＳＰ３１において制御部２０は、かかる雛形文章の名称「遅刻」に応じた雛形文章データを電子メールデータ記憶部２８から読み出し、これに基づいて図２３に示すような置換候補文編集画面７５を表示部２５に表示し、ステップＳＰ３２へ移る。
【００８２】
ここでこの置換候補文編集画面７５においては、遅刻用雛形文章におけるブロックＢＫ１〜ＢＫ６のそれぞれが、カーソルＣＲ５によって選択され得るようになされている。
【００８３】
ステップＳＰ３２において制御部２０は、ユーザによって置換候補文編集画面７５中のカーソルＣＲ５が操作されることにより、例えばブロックＢＫ１が選択決定されると、図２４に示すように、当該ブロックＢＫ１上に置換候補文編集ボックス７６を表示し、ステップＳＰ３３へ移る。
【００８４】
この置換候補文編集ボックス７６には、ブロックＢＫ１中に表示されていた短文「こんばんは、」と、当該短文「こんばんは、」に対応する複数の置換候補文とが一覧表示されている。またこの置換候補文編集ボックス７６には、これら短文や置換候補文のうちの何れか１つを選択するためのカーソルＣＲ６も表示されている。
【００８５】
ステップＳＰ３３において制御部２０は、例えばユーザによって置換候補文編集ボックス７６中のカーソルＣＲ６が操作されることにより、例えば置換候補文「おはよう、」が選択決定されると、当該置換候補文「おはよう、」の表示を中止した後、図２５に示すように当該置換候補文「おはよう、」が表示されていた位置に、新たな置換候補文を入力するための置換候補文入力ボックス７７を表示し、ステップＳＰ３４へ移る。
【００８６】
ステップＳＰ３４において制御部２０は、例えばユーザによって操作入力部２４を介して文字入力操作が行われることにより、置換候補文入力ボックス７７に対して「おはよー！」が入力されたことを認識すると、例えば図２６に示すように、短文「こんばんは、」の置換候補文としてこれまで登録されていた「おはよう、」の代わりに、今回入力された「おはよー！」を新規登録する処理を行い、ステップＳＰ３５へ移って置換候補文編集処理手順ＲＴ３を終了する。
【００８７】
このようにしてこの携帯電話機１においては、短文「こんにちは、」に対する置換候補文として既に登録されていた「おはよう、」を、新たな置換候補文「おはよー！」に変更させ得るようになされている。
【００８８】
次に、上述した雛形文章選択画面（図２２）に一覧表示されている複数の雛形文章の名称のうち、例えばユーザによって雛形文章の名称「お詫び」が選択決定された場合について説明する。
【００８９】
すなわちステップＳＰ３０において制御部２０は、雛形文章選択画面７０（図２２）に一覧表示されている複数の雛形文章の名称のうち、例えばユーザによって雛形文章の名称「お詫び」が選択決定されると、ステップＳＰ３１において、図２７に示すような置換候補文編集画面７５Ｘを表示部２５に表示する。この置換候補文編集画面７５Ｘにおいては、お詫び用の雛形文章がブロックＢＫ１０〜ＢＫ１２ごとに区切られて表示されており、これらブロックＢＫ１０〜ＢＫ１２のそれぞれは、カーソルＣＲ５Ｘによって選択され得るようになされている。
【００９０】
そしてステップＳＰ３２において制御部２０は、ユーザによって置換候補文編集画面７５Ｘ中のカーソルＣＲ５Ｘが操作されることにより、例えばブロックＢＫ１２が選択決定されると、図２８に示すように、当該ブロックＢＫ１２上に置換候補文編集ボックス７６Ｘを表示する。
【００９１】
ところで本実施の形態の場合、このお詫び用の雛形文章における各短文に対しては、未だに置換候補文が登録されていない。従って、ブロックＢＫ１２上に表示される置換候補文編集ボックス７６Ｘには、当該ブロックＢＫ１２中の短文「このようなことは致しません。」のみが表示されており、この短文「このようなことは致しません。」の次行は空白部分ＳＣとなっている。
【００９２】
次にステップＳＰ３３において制御部２０は、例えばユーザによって置換候補文編集ボックス７６Ｘ中のカーソルＣＲ６Ｘが操作されることにより、例えばかかる空白部分ＳＣが選択決定されたことを認識すると、例えば図２９に示すように、当該空白部分ＳＣ上に置換候補文入力ボックス７７Ｘを表示し、ステップＳＰ３４へ移る。
【００９３】
ステップＳＰ３４において制御部２０は、ユーザにより文字入力操作が行われることによって、置換候補文入力ボックス７７Ｘに対して「二度と致しません。」が入力されたことを認識すると、当該入力された「二度と致しません。」を、短文「このようなことは致しません。」に対する置換候補文として新規登録する処理を行い、ステップＳＰ３５へ移って置換候補文編集処理手順ＲＴ３を終了する。
【００９４】
このようにして携帯電話機１においては、お詫び用の雛形文章における各短文（この場合、「このようなことは致しません。」）に対して、新たな置換候補文（この場合、「二度と致しません。」）を追加させ得るようになされている。
【００９５】
（５）ブロック削除処理
ところで制御部２０は、ユーザによって雛形文章編集メニュー画面６５（図２０）中のカーソルＣＲ１が操作されることにより、メニュー「ブロックの編集」が選択されたことを認識すると、図３０に示すようなブロック編集メニュー画面７８を表示部２５に表示する。
【００９６】
そして制御部２０は、ユーザによってブロック編集メニュー画面７８中のカーソルＣＲ１が操作されることにより、メニュー「ブロックの削除」が選択されたことを認識すると、ブロック削除処理を実行するようになされている。
【００９７】
ここでは、このブロック削除処理の手順について、図３１に示すフローチャートを用いて説明する。
【００９８】
ステップＳＰ４０において制御部２０は、図２２に示すような雛形文章選択画面７０を表示部２５に表示する。そして制御部２０は、例えばユーザによってカーソルＣＲ１が操作されることにより、例えば雛形文章の名称「お詫び」が選択決定されると、ステップＳＰ４１へ移る。
【００９９】
ステップＳＰ４１において制御部２０は、雛形文章の名称「お詫び」に応じた雛形文章データを電子メールデータ記憶部２８から読み出し、これに基づいて図３２に示すような削除ブロック選択画面８０を表示部２５に表示し、ステップＳＰ４２へ移る。
【０１００】
因みにこの削除ブロック選択画面８０においては、お詫び用雛形文章中の各ブロックＢＫ１０〜ＢＫ１２のそれぞれを、カーソルＣＲ７によって選択させ得るようになされている。
【０１０１】
ステップＳＰ４２において制御部２０は、ユーザによって削除ブロック選択画面８０中のカーソルＣＲ７が操作されることにより、例えばブロックＢＫ１０が選択決定されたことを認識すると、図３３に示すように、ブロックＢＫ１０及びブロックＢＫ１０中の短文「このたびは、」の表示を中止して、文章「本当にごめんなさい。このようなことは致しません。」のみを表示するようにし、ステップＳＰ４３へ移る。
【０１０２】
ステップＳＰ４３において制御部２０は、ユーザによって削除ブロック選択画面８０（図３３）中の決定ボタン８１が選択されたとき、短文「このたびは、」を削除した文章「本当にごめんなさい。このようなことは致しません。」を、新たなお詫び用雛形文章として登録する処理を行い、ステップＳＰ４４へ移ってブロック削除処理手順ＲＴ４を終了する。
【０１０３】
このように携帯電話機１においては、ブロック削除処理を実行することによって、例えば、お詫び用雛形文章における複数の短文のうち、ユーザの選択操作に応じた短文（この場合、「このたびは」）を削除することができる。これによりユーザは、当該お詫び用雛形文章の文章構成を適宜変更することができる。
【０１０４】
（６）ブロック追加処理
一方制御部２０は、ユーザによって図３０に示すブロック編集メニュー画面７８中のカーソルＣＲ１が操作されることにより、メニュー「ブロックの追加」が選択されたことを認識すると、ブロック追加処理を実行するようになされている。
【０１０５】
ここでは、このブロック追加処理の手順について、図３４に示すフローチャートを用いて説明する。
【０１０６】
すなわちステップＳＰ５０において制御部２０は、図２２に示すような雛形文章選択画面７０を表示部２５に表示する。そして制御部２０は、例えばユーザによってカーソルＣＲ１が操作されることにより、例えば雛形文章の名称「お詫び」が選択決定されると、ステップＳＰ５１へ移る。
【０１０７】
ステップＳＰ５１において制御部２０は、雛形文章の名称「お詫び」に応じた雛形文章データを電子メールデータ記憶部２８から読み出し、これに基づいて図３５に示すようなブロック追加画面８５を表示部２５に表示し、ステップＳＰ５２へ移る。
【０１０８】
ここでこのブロック追加画面８５においては、お詫び用の雛形文章が複数のブロックＢＫ１０〜ＢＫ１２に区切られて表示されていると共に、新たに追加するブロックの挿入位置を指定するための挿入位置指定カーソルＣＲ８も表示されている。
【０１０９】
ステップＳＰ５２において制御部２０は、ユーザによって挿入位置指定カーソルＣＲ８が操作されることにより、例えば図３６に示すように、ブロックＢＫ１２の後側が指定されたことを認識すると、当該ブロックＢＫ１２の後側に、ユーザ任意の短文を入力させるための短文入力ボックス８６（図３７）を表示して、ステップＳＰ５３へ移る。
【０１１０】
ステップＳＰ５３において制御部２０は、例えばユーザの文字入力操作によって、短文入力ボックス８６に対し、短文「今後も宜しくお願い致します。」が入力されたことを認識すると、例えば図３８に示すように、ブロックＢＫ１２中の短文「このようなことは致しません。」の後に、当該入力された短文「今後も宜しくお願い致します。」を、ブロックＢＫ１３で囲んだ状態で表示する。そして制御部２０は、この短文「今後も宜しくお願い致します。」を追加した文章「このたびは、本当にごめんなさい。このようなことは致しません。今後も宜しくお願い致します。」を、新たなお詫び用雛形文章として登録する登録処理を実行し、ステップＳＰ５４へ移ってブロック追加処理手順ＲＴ５を終了する。
【０１１１】
このようにして携帯電話機１においては、ブロック追加処理を実行することによって、お詫び用雛形文章中のユーザ任意の位置（この場合、ブロックＢＫ１２の後側）に対し、ユーザ任意の短文（この場合、「今後も宜しくお願い致します。」）を追加させることができる。
【０１１２】
（７）動作及び効果
以上の構成において、制御部２０は、ユーザによって雛形文章選択画面４０（図６）における雛形文章の名称「遅刻」が選択されたことを認識すると、図７に示すように、複数のブロックＢＫ１〜ＢＫ６に区切られた遅刻用雛形文章を表示部２５に表示する。
【０１１３】
次に制御部２０は、これらブロックＢＫ１〜ＢＫ６のうち例えばユーザによってブロックＢＫ６が指定されたことを認識すると、図８に示すように、当該ブロックＢＫ６中の短文「先に行って下さい」に対応する複数の置換候補文を表示部２５に表示する。
【０１１４】
そして制御部２０は、表示部２５に表示している複数の置換候補文の中から、例えばユーザによって置換候補文「先に飲んどいて。」が選択されたことを認識すると、遅刻用雛形文章中の短文「先に行って下さい」を、当該選択された置換候補文「先に飲んどいて。」に置き換える。
【０１１５】
かくするにつきユーザは、１字ずつ文字を入力するような文字入力操作を行うことなく、宴会等に遅刻する旨の文章を作成することができる。
【０１１６】
以上の構成によれば、ユーザに文字入力操作を行わせることなく、文章を作成させることができる。この結果、従来よりも一段と容易に文章を作成させ得る携帯電話機１を実現することができる。
【０１１７】
なお本実施の形態の場合、表示部２５の大きさに限界があるので、文選択ボックス４６（図８）に対しては、１つの短文と最大３つの置換候補文のみが表示されるようになされている。従って制御部２０は、例えば遅刻用雛形文章中の短文「先に行って下さい。」について多数の置換候補文が登録されている場合、優先度の高い３つの置換候補文を、優先的に文選択ボックス４６に対して表示する。これにより、選択決定される可能性の低い置換候補文を、文選択ボックス４６に表示してしまうことを回避することができる。
【０１１８】
また本実施の形態において、通常作成機能を利用して「遅刻」する旨の文章を作成する場合、ユーザは、文章構成を考えながら１字ずつ文字入力操作しなければならない。これに対して簡易作成機能を利用した場合、ユーザは、既に文章構成が確定している遅刻用雛形文章の各短文を、任意の置換候補文に適宜置換するだけなので、このような「遅刻」する旨の文章を容易に作成することができる。
【０１１９】
（８）他の実施の形態
なお上述の実施の形態においては、図１２に示すように、ユーザによって前回選択決定された置換候補文「先に行って下さい。」に対して“１０”ポイントを付与すると共に、これよりも過去に選択決定された置換候補文になるにつれて、“１”ずつ減算したポイントを順次付与するようにし、この後図１３に示すように、置換候補文ごとに当該付与されたポイントを合計し、当該合計した結果に基づいて各置換候補文に優先度を割り当てる場合について述べたが、本発明はこれに限らず、例えば、ユーザによって置換候補文が選択される度に当該選択された置換候補文に対して“１”ポイントを付与するようにした上で、図３９に示すように、置換候補文ごとにこれまで付与されたポイントを適宜累計し、当該累計した結果に基づいて各置換候補文に優先度を割り当てるようにしても良い。
【０１２０】
また上述の実施の形態においては、遅刻用の雛形文章、待ち合わせ用の雛形文章、お礼用の雛形文章、お詫び用の雛形文章等を携帯電話機１に登録しておき、これら雛形文章中の短文を、ユーザ任意の置換候補文に置換させることによって、遅刻する旨の文章、待ち合わせするための文章、お礼するための文章、お詫びするための文章等を作成させる場合について述べたが、本発明はこれに限らず、この他種々の趣旨を伝えるための雛形文章を、雛形文章新規登録処理（図１５）によってユーザに予め登録させておくようにしても良い。この結果、ユーザは、様々な趣旨の文章を、簡易作成機能を利用して作成することができる。
【０１２１】
さらに上述の実施の形態においては、ユーザに携帯電話機１の簡易作成機能を利用させて、電子メール中の文章を作成させる場合について述べたが、本発明はこれに限らず、例えばこの他種々の文章を、当該簡易作成機能を利用させて作成させるようにしても良い。
【０１２２】
さらに上述の実施の形態においては、図８に示すように文選択ボックス４６に対して、置換候補文として既に登録されている文章のみを表示するようにした場合について述べたが、本発明はこれに限らず、例えば、文選択ボックス４６の最下部に空白部分を設けて、ユーザの選択したい置換候補文がないときに当該空白部分に対して新たな置換候補文を適宜入力させ得るようにしても良い。
【０１２３】
さらに上述の実施の形態では、雛形文章中の各短文を予め用意されている置換候補文に置換させることによって文章を作成させる文章作成装置として、携帯電話機１を適用する場合について述べたが、本発明はこれに限らず、例えば、ＰＤＡ（Personal Digital Assistance）等のこの他種々の情報端末を適用するようにしても良い。
【０１２４】
さらに上述の実施の形態では、複数の短文に区切られた雛形文章と各短文に対する複数の置換候補文とを記憶しておく記憶手段として、電子メールデータ記憶部２８を適用する場合について述べたが、本発明はこれに限らず、ハードディスクドライブ等のこの他種々の記憶装置を適用するようにしても良い。
【０１２５】
さらに上述の実施の形態では、記憶手段から雛形文章を読み出して所定の表示部に表示する雛形文章表示手段として、また表示部に表示している雛形文章中の複数の短文のうちユーザの指定操作によって指定された指定短文に対応する複数の置換候補文を記憶手段から読み出して表示部に表示する候補文表示手段として、さらに表示部に表示している複数の置換候補文のうちユーザの選択操作によって選択された置換候補文を雛形文章中の指定短文と置き換える置換手段として、さらに選択操作によってこれまで選択された置換候補文に基づき、各置換候補文の選択頻度を認識する認識手段として、電子メール作成処理部２７を適用する場合について述べたが、本発明はこれに限らず、この他種々の構成を適用するようにしても良い。
【０１２６】
さらに本実施の形態では、電子メール作成処理手順ＲＴ１を実行するために、電子メール作成処理部２７を設ける場合について述べたが、本発明はこれに限らず、電子メール作成処理手順ＲＴ１を実行するためのプログラム（文章作成プログラム）を携帯電話機１に対して予めインストールしておくことにより、この電子メール作成処理手順ＲＴ１をソフトウェア的に実現するようにしても良い。
【産業上の利用可能性】
【０１２７】
文章作成装置において、電子メール等の文章が作成可能な携帯電話機や、ＰＤＡ等に適用することができる。
【図面の簡単な説明】
【０１２８】
【図１】本実施の形態における携帯電話機の外観構成を示す略線図である。
【図２】携帯電話機の回路構成を示すブロック図である。
【図３】電子メールメニュー画面を示す略線図である。
【図４】電子メール作成処理手順を示すフローチャートである。
【図５】新規作成メニュー画面を示す略線図である。
【図６】雛形文章選択画面（１）を示す略線図である。
【図７】簡易作成画面（１）を示す略線図である。
【図８】簡易作成画面（２）を示す略線図である。
【図９】簡易作成画面（３）を示す略線図である。
【図１０】選択履歴データの内容（１）を示す略線図である。
【図１１】文選択ボックス表示処理手順を示すフローチャートである。
【図１２】選択履歴データの内容（２）を示す略線図である。
【図１３】ポイント集計結果を示す略線図である。
【図１４】メール設定メニュー画面を示す略線図である。
【図１５】雛形文章登録処理手順を示すフローチャートである。
【図１６】文章入力画面を示す略線図である。
【図１７】ブロック設定画面（１）を示す略線図である。
【図１８】ブロック設定画面（２）を示す略線図である。
【図１９】ブロック設定画面（３）を示す略線図である。
【図２０】雛形文章編集メニュー画面を示す略線図である。
【図２１】置換候補文編集処理手順を示すフローチャートである。
【図２２】雛形文章選択画面（２）を示す略線図である。
【図２３】置換候補文編集画面（１）を示す略線図である。
【図２４】置換候補文編集画面（２）を示す略線図である。
【図２５】置換候補文編集画面（３）を示す略線図である。
【図２６】新規登録された様子を示す略線図である。
【図２７】置換候補文編集画面（４）を示す略線図である。
【図２８】置換候補文編集画面（５）を示す略線図である。
【図２９】置換候補文編集画面（６）を示す略線図である。
【図３０】ブロック編集メニュー画面を示す略線図である。
【図３１】ブロック削除処理手順を示す略線図である。
【図３２】削除ブロック選択画面（１）を示す略線図である。
【図３３】削除ブロック選択画面（２）を示す略線図である。
【図３４】ブロック追加処理手順を示すフローチャートである。
【図３５】ブロック追加画面（１）を示すフローチャートである。
【図３６】ブロック追加画面（２）を示すフローチャートである。
【図３７】ブロック追加画面（３）を示すフローチャートである。
【図３８】ブロック追加画面（４）を示すフローチャートである。
【図３９】他の実施の形態を示す略線図である。
【図４０】テンキー部の構成を示す略線図である。
【符号の説明】
【０１２９】
１……携帯電話機、１０……ジョグダイヤル、２０……制御部、２４……操作入力部、２５……表示部、２７……電子メール作成処理部、２８……電子メールデータ記憶部、ＲＴ１……電子メール作成処理手順、ＳＲＴ１……文選択ボックス表示処理手順。
【図１】
2005044271.tif 000003
【図２】
2005044271.tif 000004
【図３】
2005044271.tif 000005
【図４】
2005044271.tif 000006
【図５】
2005044271.tif 000007
【図６】
2005044271.tif 000008
【図７】
2005044271.tif 000009
【図８】
2005044271.tif 000010
【図９】
2005044271.tif 000011
【図１０】
2005044271.tif 000012
【図１１】
2005044271.tif 000013
【図１２】
2005044271.tif 000014
【図１３】
2005044271.tif 000015
【図１４】
2005044271.tif 000016
【図１５】
2005044271.tif 000017
【図１６】
2005044271.tif 000018
【図１７】
2005044271.tif 000019
【図１８】
2005044271.tif 000020
【図１９】
2005044271.tif 000021
【図２０】
2005044271.tif 000022
【図２１】
2005044271.tif 000023
【図２２】
2005044271.tif 000024
【図２３】
2005044271.tif 000025
【図２４】
2005044271.tif 000026
【図２５】
2005044271.tif 000027
【図２６】
2005044271.tif 000028
【図２７】
2005044271.tif 000029
【図２８】
2005044271.tif 000030
【図２９】
2005044271.tif 000031
【図３０】
2005044271.tif 000032
【図３１】
2005044271.tif 000033
【図３２】
2005044271.tif 000034
【図３３】
2005044271.tif 000035
【図３４】
2005044271.tif 000036
【図３５】
2005044271.tif 000037
【図３６】
2005044271.tif 000038
【図３７】
2005044271.tif 000039
【図３８】
2005044271.tif 000040
【図３９】
2005044271.tif 000041
【図４０】
2005044271.tif 000042